【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】
端末と、情報サーバと、これらを接続する第１の通信路と、を備える情報システムであって、
（ａ）前記端末は、磁気インク文字が印刷された印刷媒体を搬送路に沿って搬送し、
当該搬送路に沿って搬送される印刷媒体に文字を印刷し、
当該搬送路に沿って搬送される印刷媒体に印刷された磁気インク文字を認識し、
当該搬送路に沿って搬送される印刷媒体の画像を読み取り、
前記認識された磁気インク文字の情報と、前記読み取られた画像の情報と、を前記第１の通信路を介して前記情報サーバへ送信し、
（ｂ）前記情報サーバは、前記端末から前記第１の通信路を介して送信された磁気インク文字の情報と、画像の情報と、を受信し、
前記受信された磁気インク文字の情報と、画像の情報と、を対応付けて記憶する
ことを特徴とする情報システム。
【請求項２】
当該印刷媒体は小切手、特にパーソナルチェックである
ことを特徴とする請求項１に記載の情報システム。
【請求項３】
前記端末は、前記文字を磁気インク文字と非磁気インク文字のいずれか一方もしくは双方で印刷する
ことを特徴とする請求項１に記載の情報システム。
【請求項４】
前記情報サーバは、
あらかじめ記憶された顧客情報から、前記記憶された磁気インク文字の情報に対応する顧客情報を取得し、
前記取得された顧客情報と、前記記憶された磁気インク文字の情報に対応付けられて記憶された画像の情報と、を印刷することを特徴とする請求項１に記載の情報システム。
【請求項５】
前記情報システムは、さらに顧客端末と、当該顧客端末と前記情報サーバとを接続する第２の通信路と、を備え、
（ａ）前記情報サーバは、
あらかじめ記憶された顧客情報から、前記記憶された磁気インク文字の情報に対応する顧客情報を取得し、
前記取得された顧客情報に対応する顧客端末へ、前記第２の通信路を介して、前記記憶された磁気インク文字の情報に対応付けられて記憶された画像の情報を送信し、
（ｂ）前記顧客端末は、前記情報サーバから前記第２の通信路を介して送信された画像の情報を受信し、
前記受信された画像の情報を表示する
ことを特徴とする請求項１に記載の情報システム。
【請求項６】
通信路を介して情報サーバに接続される端末であって、
磁気インク文字が印刷された印刷媒体を搬送路に沿って搬送する搬送部と、
当該搬送路に沿って搬送される印刷媒体に文字を印刷する印刷部と、
当該搬送路に沿って搬送される印刷媒体に印刷された磁気インク文字を認識する磁気インク文字認識部と、
当該搬送路に沿って搬送される印刷媒体の画像を読み取る画像読取部と、
前記認識された磁気インク文字の情報と、前記読み取られた画像の情報と、を前記通信路を介して前記情報サーバへ送信する情報送信部と、
を備えることを特徴とする端末。
【請求項７】
第１の通信路を介して端末に接続される情報サーバであって、前記端末から前記第１の通信路を介して送信された磁気インク文字の情報と、画像の情報と、を受信する受信部と、
前記受信された磁気インク文字の情報と、画像の情報と、を対応付けて記憶する第１の記憶部と、
を備えることを特徴とする情報サーバ。
【請求項８】
顧客情報を記憶する第２の記憶部と、
前記記憶された磁気インク文字の情報に対応する顧客情報を取得する取得部と、
前記取得された顧客情報と、前記記憶された磁気インク文字の情報に対応付けられて記憶された画像の情報と、を印刷する印刷部と、
をさらに備えることを特徴とする請求項７に記載の情報サーバ。
【請求項９】
前記情報サーバは、さらに、第２の通信路を介して顧客端末に接続され、
顧客情報を記憶する第２の記憶部と、
あらかじめ記憶された顧客情報から、前記記憶された磁気インク文字の情報に対応する顧客情報を取得する取得部と、
前記取得された顧客情報に対応する顧客端末へ、前記第２の通信路を介して、前記記憶された磁気インク文字の情報に対応付けられて記憶された画像の情報を送信する送信部と、
をさらに備えることを特徴とする請求項７に記載の情報サーバ。
【請求項１０】
通信路を介して情報サーバに接続される顧客端末であって、
前記情報サーバから前記通信路を介して送信された小切手、特にパーソナルチェックの画像の情報を受信する受信部と、
前記受信された画像の情報を表示する表示部と、
を備えることを特徴とする顧客端末。
【請求項１１】
通信路を介して情報サーバに接続される端末を制御する制御方法であって、
磁気インク文字が印刷された印刷媒体を搬送路に沿って搬送する搬送工程と、
当該搬送路に沿って搬送される印刷媒体に文字を印刷する印刷工程と、
当該搬送路に沿って搬送される印刷媒体に印刷された磁気インク文字を認識する磁気インク文字認識工程と、
当該搬送路に沿って搬送される印刷媒体の画像を読み取る画像読取工程と、
前記認識された磁気インク文字の情報と、前記読み取られた画像の情報と、を通信路を介して情報サーバへ送信する情報送信工程と、
を備えることを特徴とする制御方法。
【請求項１２】
通信路を介して情報サーバに接続される顧客端末の制御方法であって、
前記情報サーバから前記通信路を介して送信された小切手、特にパーソナルチェックの画像の情報を受信する受信工程と、
前記受信された画像の情報を表示する表示工程と、
を備えることを特徴とする制御方法。
【請求項１３】
通信路を介して情報サーバに接続される端末にて実行されるプログラムであって、
磁気インク文字が印刷された印刷媒体を搬送路に沿って搬送し、
当該搬送路に沿って搬送される印刷媒体に文字を印刷し、
当該搬送路に沿って搬送される印刷媒体に印刷された磁気インク文字を認識し、
当該搬送路に沿って搬送される印刷媒体の画像を読み取り、
前記認識された磁気インク文字の情報と、前記読み取られた画像の情報と、を通信路を介して情報サーバへ送信する
処理を実現するプログラムを記録したコンピュータ読取可能な情報記録媒体。
【請求項１４】
前記情報記録媒体は、コンパクトディスク、フロッピーディスク、ハードディスク、光磁気ディスク、ディジタルビデオディスク、磁気テープ、または、半導体メモリであることを特徴とする請求項１３に記載のプログラムを記録したコンピュータ読取可能な情報記録媒体。
【手続補正２】
【補正対象書類名】明細書
【補正対象項目名】０３１
【補正方法】削除
【補正の内容】
【手続補正３】
【補正対象書類名】明細書
【補正対象項目名】０３２
【補正方法】削除
【補正の内容】
【手続補正４】
【補正対象書類名】明細書
【補正対象項目名】０３６
【補正方法】削除
【補正の内容】
【手続補正５】
【補正対象書類名】明細書
【補正対象項目名】０５４
【補正方法】削除
【補正の内容】
【手続補正６】
【補正対象書類名】明細書
【補正対象項目名】０５５
【補正方法】削除
【補正の内容】
【手続補正７】
【補正対象書類名】明細書
【補正対象項目名】０５６
【補正方法】削除
【補正の内容】
【手続補正８】
【補正対象書類名】明細書
【補正対象項目名】０５７
【補正方法】削除
【補正の内容】
【手続補正９】
【補正対象書類名】明細書
【補正対象項目名】０５８
【補正方法】削除
【補正の内容】
【手続補正１０】
【補正対象書類名】明細書
【補正対象項目名】０５９
【補正方法】削除
【補正の内容】
【手続補正１１】
【補正対象書類名】明細書
【補正対象項目名】０６０
【補正方法】削除
【補正の内容】
【手続補正１２】
【補正対象書類名】明細書
【補正対象項目名】０６１
【補正方法】削除
【補正の内容】
【手続補正１３】
【補正対象書類名】明細書
【補正対象項目名】０６２
【補正方法】削除
【補正の内容】
【手続補正１４】
【補正対象書類名】明細書
【補正対象項目名】０６３
【補正方法】削除
【補正の内容】
【手続補正１５】
【補正対象書類名】明細書
【補正対象項目名】０６４
【補正方法】削除
【補正の内容】
【手続補正１６】
【補正対象書類名】明細書
【補正対象項目名】０６５
【補正方法】削除
【補正の内容】